(57)【特許請求の範囲】
【請求項１】
側辺の長さがａの倍数である矩形形状の平板部を有する基部と、前記基部上に配置された第１〜第４グループのいずれかの突出部によって形成される連結接続部とを有する、組立部材セットの構成部材であって、
第１グループの突出部は、前記基部の少なくとも一方の面に配置されており、高さが０．５ａより高く、かつａ以下であり、十字型の断面を有し、前記十字型の端部間の距離がａであり、
第２グループの突出部は、前記基部の少なくとも一方の面に配置されており、高さが０．５ａであり、断面形状が正方形の管状であり、前記正方形の管の内面側の側辺の長さがａであり、
第３グループの突出部は、矩形形状の平板部を備え、前記平板部の長い方の中線が前記基部の端部に揃うように配置されており、前記平板部の両短辺に設けられた、幅がａで前記基部の端部からの突出長さが０．５ａ以下であるレッジ部をさらに備え、前記レッジ部の両端部は互いに対向するように曲げられ、当該両端部間の間隔はａ以下であり、
第４グループの突出部は、前記基部の平板部における隣接する端部上に、前記端部と面一になるように配置された棚部を有する角部を備え、前記棚部の長さはａであり、幅は０．５ａ以下であり、前記各突出部は基部の縁に平行な相互に直交する線からなる直交グリッドに従って前記基部上に配置されており、前記直交グリッドにおける隣接する線同士の間隔は２ａであり、前記基部の縁と隣接する前記直交グリッドの線との間隔は０．５ａであり、
前記第１グループの突出部は前記直交グリッドの線の交差点に配置されており、
前記第２グループの突出部は前記直交グリッドのセルの対角線同士の交差点に配置されており、
前記第３グループの突出部は、前記第１グループの突出部同士の間で前記基部の端部と面一になるように配置されており、
前記第４グループの突出部は前記基部の角部に配置されていることを特徴とする組立部材セットの構成部材。
【請求項２】
少なくとも１つの側辺の長さがａであり、他の側辺の長さがａの倍数である矩形形状の平板部を有する基部と、前記基部上に配置された第１〜第３グループのいずれかの突出部によって形成される連結接続部とを有する、組立部材セットの構成部材であって、
第１グループの突出部は、前記基部の少なくとも一方の面に配置されており、高さが０．５ａより高く、かつａ以下であり、十字型の断面を有しており、前記十字型の端部間の距離がａであり、
第２グループの突出部は、矩形形状の平板部を備え、前記平板部の長い方の中線が前記基部の端部に揃うように配置されており、前記平板部の両短辺に設けられた、幅がａで前記基部の端部からの突出長さが０．５ａ以下であるレッジ部をさらに備え、前記レッジ部の両端部は互いに対向するように曲げられ、当該両端部間の間隔はａ以下であり、
第３グループの突出部は、前記基部の平板部における隣接する端部上に、前記端部と面一になるように配置された棚部を有する角部を備え、前記棚部の長さはａであり、幅は０．５ａ以下であり、前記各突出部は基部の縁に平行な相互に直交する線からなる直交グリッドに従って前記基部上に配置されており、前記直交グリッドにおける隣接する線同士の間隔は２ａであり、前記基部の縁と隣接する前記直交グリッドの線との間隔は０．５ａであり、
前記第１グループの突出部は前記直交グリッドの線の交差点に配置されており、
前記第２グループの突出部は、前記第１グループの突出部同士の間で前記基部の端部と面一になるように配置されており、
前記第３グループの突出部は前記基部の角部に配置されていることを特徴とする組立部材セットの構成部材。
【発明の詳細な説明】
【発明の詳細な説明】
【０００１】
〔技術分野〕
本発明は、組立部材セットの部材に関するものであり、より具体的には、組立玩具セットおよび組立パズルの両方に用いることができる組立部材セットの構成部材（組立要素）に関するものである。
【０００２】
〔背景技術〕
従来、連結接続部が規則的に形成された平行六面体からなる基部を有する組立部材が「ＬＥＧＯ」社から発売されている（ロシア国特許第２１５０９８５号（２０００年６月２０日）参照）。
【０００３】
しかしながら、上記の組立部材は、同一の組立部材同士で単一の接続形態しか許容されないように設計されているので、機能性が低いという問題がある。
【０００４】
〔発明の概要〕
本発明の目的は、同一の構成部材を多様な連結方法で連結することのできる組立部材セットの構成部材を提供することにある。
【０００５】
技術的成果には、提案する組立部材セットの構成部材を他の構成部材に連結する際の連結方法の選択肢が増加することにより、構成部材の機能的な可能性が増大することが含まれている。
【０００６】
態様１にかかる組立部材セットの構成部材の技術的成果は、基部と連結接続部とを含む構成部材によって達成される。前記基部は側辺がａの倍数である矩形形状の平板からなる。前記連結接続部は、前記基部から突出する突出部によって形成されており、突出部の形状は４つのグループからなる。第１グループの突出部は、前記基部の少なくとも一方の面に配置されており、十字型の断面を有し、前記十字型の端部間の距離はａである。第１グループの突出部の高さは０．５ａより高くａ以下である。
【０００７】
第２グループの突出部は、前記基部の少なくとも一方の面に配置されており、断面形状が正方形の管状であり、前記正方形の管の内面側の側辺の長さはａである。第２グループの突出部の高さは０．５ａである。第３グループの突出部は、矩形形状の平板部を備え、前記平板部の中線が前記基部の端部に配置され、かつ前記平板部と前記基部の端部とが面一になるように配置されており、前記平板部の両短辺に沿って、幅がａで前記基部の端部からの突出長さが０．５ａ以下であるレッジ部を備えている。前記レッジ部の両端部は互いに対向するように曲げられ、当該両端部間の間隔はａ以下である。
【０００８】
第４グループの突出部は、前記基部の平板部の隣接する端部に、前記端部に面一になるように配置された、前記平板部に垂直な棚部を有する角部を備えている。前記棚部の長さはａであり、幅は０．５ａ以下である。全ての突出部は、基部の縁に平行で互いに直交する線からなる直交グリッドに従って前記基部上に配置されている。前記直交グリッドにおける隣接する線同士の間隔は２ａである。また、前記基部の縁と隣接する前記直交グリッドの線との間隔は０．５ａである。第１グループの突出部は、前記グリッドの交差点に配置されている。第２グループの突出部は前記直交グリッドのセルの対角線同士の交差点に配置されている。第３グループの突出部は、前記第１グループの突出部同士の間で前記基部の端部と面一になるように配置されている。第４グループの突出部は前記基部の角部に配置されている。
【０００９】
態様２にかかる組立部材セットの構成部材の技術的成果は、基部と連結接続部とを含む構成部材によって達成される。前記基部は少なくとも１つの側辺がａであり、他の側辺がａの倍数である矩形形状の平板からなる。連結接続部は前記基部から突出する突出部によって形成されており、突出部の形状は３つのグループからなる。第１グループの突出部は、前記基部の少なくとも一方の面に配置されており、十字型の断面を有し、前記十字型の端部間の距離はａである。第１グループの突出部の高さは０．５ａより高くａ以下である。第２グループの突出部は、矩形形状の平板部を備え、前記平板部の中線が前記基部の端部に配置され、かつ前記平板部と前記基部の端部とが面一になるように配置されており、前記平板部の両短辺に設けられた、幅がａで前記基部の端部からの突出長さが０．５ａ以下であるレッジ部を備えている。前記レッジ部の両端部は互いに対向するように曲げられ、当該両端部間の間隔はａ以下である。第３グループの突出部は、前記基部の平板部の隣接する端部に、前記端部と面一になるように配置された、前記平板部に垂直な棚部を有する角部を備えている。前記棚部の長さはａであり、幅は０．５ａ以下である。
【００１０】
全ての突出部は基部の縁に平行な相互に直交する線からなる直交グリッドに従って前記基部上に配置されている。前記直交グリッドにおける隣接する線同士の間隔は２ａである。また、前記基部の縁と隣接する前記直交グリッドの線との間隔は０．５ａである。
【００１１】
第１グループの突出部は前記直交グリッドの線の交差点に配置されている。第２グループの突出部は、前記第１グループの突出部同士の間で前記基部の端部と面一になるように配置されている。第３グループの突出部は前記基部の角部に配置されている。
【００１２】
〔図面の簡単な説明〕
本発明について、図面を参照しながら説明する。
【００１３】
図１は、第１グループの突出部を示している。
【００１４】
図２は、実施形態１にかかる組立部材の第２グループの突出部を示している。
【００１５】
図３は、実施形態１にかかる構成部材の第３グループの突出部、および実施形態２にかかる構成部材の第２グループの突出部を示す図である。
【００１６】
図４は、実施形態１にかかる構成部材の第４グループの突出部、および実施形態２にかかる構成部材の第３グループの突出部を示す図である。
【００１７】
図５は、実施形態１に従って実装された、９個の第１グループの突出部と、４個の第２グループの突出部と、８個の第３グループの突出部と、４個の第４グループの突出部と、５ａ×５ａのサイズを有する基部とを有する構成部材を示す図である。
【００１８】
図６は、実施形態１に従って実装された、９個の第１グループの突出部と、４個の第２グループの突出部と、８個の第３グループの突出部と、４個の第４グループの突出部と、５ａ×５ａのサイズを有する基部とを有する構成部材を示す等角投影図である。
【００１９】
図７は、実施形態２に従って実装された、３個の第１グループの突出部と、４個の第２グループの突出部と、４個の第３グループの突出部と、５ａ×ａのサイズを有する基部とを有する構成部材を示す図である。
【００２０】
図８は、実施形態２に従って実装された、３個の第１グループの突出部と、４個の第２グループの突出部と、４個の第３グループの突出部と、５ａ×ａのサイズを有する基部とを有する構成部材を示す等角投影図である。
【００２１】
図９は、実施形態１に従って実装された基部の例を示す図である。
【００２２】
図１０は、実施形態１に従って実装された構成部材における第１グループの突出部と第４グループの突出部との接続状態を示す図である。
【００２３】
図１１は、実施形態１に従って実装された構成部材における第３グループの突出部同士の接続状態、および実施形態２に従って実装された構成部材における第２グループの突出部同士の接続状態を示す図である。
【００２４】
図１２は、実施形態１に従って実装された構成部材における第２グループの突出部と第３グループの突出部との接続状態を示す図である。
【００２５】
図１３は、実施形態１に従って実装された構成部材における第２グループの突出部、第３グループの突出部、および第４グループの突出部の接続状態を示す図である。
【００２６】
図１４は、実施形態１に従って実装された構成部材における第２グループの突出部と第４グループの突出部との接続状態を示す図である。
【００２７】
図１５は、実施形態１に従って実装された構成部材における３個の第３グループの突出部の接続状態、および実施形態２に従って実装された構成部材における３個の第２グループの突出部の接続状態を示す図である。
【００２８】
図１６は、実施形態１に従って実装された構成部材における２個の第１グループの突出部と２個の第３グループの突出部との接続状態を示している。
【００２９】
図１７は、実施形態１に従って実装された構成部材における１個の第２グループの突出部と２個の第３グループの突出部との接続状態を示している。
【００３０】
図１８は、実施形態１に従って実装された構成部材における２個の第２グループの突出部と１個の第３グループの突出部との接続状態を示す図である。
【００３１】
図１９は、実施形態２に従って実装された、図１６に示した２重の接続を用いた２個の構成部材の接続状態を示す図である。
【００３２】
図２０は、実施形態２に従って実装された、図１５に示した接続を用いた２個の構成部材の接続状態を示す図である。
【００３３】
図２１は、実施形態２に従って実装された、図１２に示した接続を用いた２個の構成部材の接続状態を示す図である。
【００３４】
図２２は、実施形態１に従って実装された１個の構成部材に、図１０に示した接続を用いて実施形態２に従って実装された他の構成部材を接続した状態を示す図である。
【００３５】
図２３は、実施形態１に従って実装された１個の構成部材に、図１３および図１７に示した接続を用いて実施形態２に従って実装された他の構成部材を接続した状態を示す図である。
【００３６】
図２４〜図２８は、図１９〜図２３に示した接続状態を示す図であり、異なる構成部材セットがより見やすくなるように図１９〜図２３を修正しただけのものである。
【００３７】
〔発明の実施例〕
本発明の実施形態１にかかる構成部材について、図１〜図６を参照しながら説明する。実施形態１にかかる構成部材は、それぞれ、突出部からなる連結部材を備えている。
【００３８】
実施形態１にかかる構成部材は、平坦な矩形形状を有する基部１と、基部１上に配置された突出部からなる連結接続部とを備えている。基部１における前記矩形形状の側辺の長さはａの倍数である。また、前記突出部の形状は４つのグループのいずれかである。第１グループの突出部２（図１，５，６，７，８，１０，１６参照）は、基部１の少なくとも一方の面に配置されている。第１グループの突出部２の高さＨ１（図１参照）は、０．５ａよりも高く、ａ以下である。また、突出部２は、十字型の断面形状を有しており、十字型の一端部から他端部までの距離Ｂ１はａである。実施形態１における第２グループの突出部３（図２，５，６，１０，１２，１３，１４，１７，１８参照）もまた、基部１の少なくとも一方の面に配置されている。突出部３の高さＨ２は０．５ａである。突出部３は、断面形状が正方形である管状に形成されており、この管状の突出部３の内面側の一辺の長さはａである。実施形態１における第３グループの突出部４（図３，５，６，７，８，１１，１２，１３，１５，１６，１７，１８参照）は、当該突出部４の長い方の中線が基部１の端部に揃うように配置された矩形形状の板からなり、この矩形形状の板の両短辺に沿ってレッジ部５が設けられている。レッジ部５の幅Ｂ３はａであり、基部１の端部から長さＢ４だけ突出するように形成されている（図３参照）。長さＢ４は０．５ａ未満である。レッジ部５は互いに対向するように曲げられており、両レッジ部５間の距離はａ以下である（図３，５，６，７，８，１１，１２，１３，１５，１６，１７参照）。レッジ部５は間隔Δを隔てて互いに対向するように配置されており、レッジ部５の端部間の距離はａ以下である（図３参照）。実施形態１における第４グループの突出部６は、基部１の平面における隣接する端部上に、前記端部と面一になるように配置された棚部を有する角の形状を有している。棚部の長さＬはａであり、幅Ｂ５は０．５ａ以下である。突出部２，３，４，６は、基部１の縁に平行な相互に直交する直交グリッド７（図５，７）に従って基部１上に配置される。直交グリッド７の隣接するライン間の距離Ｂ６は２ａであり、基部１の縁と直交グリッド７の隣接するラインとの間の距離Ｂ７は０．５ａである。実施形態１における前記第１グループの突出部２は、直交グリッド７の線同士の交差点に配置される。実施形態１における第２グループの突出部３は直交グリッド７のセルの対角線８同士の交差点に配置される（図５参照）。実施形態１における第３グループの突出部４は、隣接する第１グループの突出部２同士の中間に基部１の端部と面一になるように配置される。実施形態１にかかる第４グループの突出部６は、基部１の角部に配置される。
【００３９】
次に、実施形態２にかかる組立部材について説明する。図１，３，４，７，８は、連結接続部を構成する突出部と、前記連結接続部を有する実施形態２にかかる組立部材の構成部材を示している。
【００４０】
実施形態２にかかる構成部材は、平坦な矩形形状を有する基部１と、基部１上に配置された突出部によって形成された連結接続部とを備えている。基部１における前記矩形形状の少なくとも１つの側辺の長さはａであり、他の側辺の長さはａの倍数である。そして、連結接続部が前記基部１から突出する突出部によって形成されており、前記突出部の形状は３つのグループのいずれかである。実施形態２における第１グループの突出部２は、実施形態１にかかる突出部２と同じである。これら突出部２は、基部１の少なくとも一方の面に配置される。 突出部２の高さＨ１は０．５ａよりも高く、ａ以下である。また、突出部２は、十字型の断面形状を有しており、十字型の一端部から他端部までの距離Ｂ１はａである。実施形態２における第２グループの突出部４は、実施形態１における第３グループの突出部４と同じである。突出部４は、当該突出部４の長い方の中線が基部１の端部に揃うように配置された矩形形状の板からなり、この矩形形状の板の両短辺に沿ってレッジ部５が設けられている。レッジ部５の幅Ｂ３はａであり（図８参照）、基部１の端部から０．５ａ以下の長さＢ４だけ突出するように形成されている（図３参照）。レッジ部５同士は、互いに間隔Δを隔てて対向するように配置されており、端部同士の距離はａ以下である（図３参照）。実施形態２における第３グループの突出部６は、実施形態１における第４グループの突出部６と同じである。突出部６は、基部１の平面における隣接する端部上に、前記端部と面一になるように配置された棚部を有する角の形状を有している。棚部の長さＬはａであり、幅Ｂ５は０．５ａ以下である。突出部２，４，６は、基部１の縁に平行な相互に直交する直交グリッド７に従って基部１上に配置されている。直交グリッド７の隣接するライン間の距離Ｂ６は２ａであり、基部１の縁と直交グリッド７の隣接するラインとの間の距離Ｂ７は０．５ａである。実施形態２の第１グループの突出部２は、直交グリッド７の線同士の交差点に配置されている。実施形態２にかかる第２グループの突出部４は、隣接する第１グループの突出部２同士の中間に基部１の端部と面一になるように配置される。実施形態２にかかる第３グループの突出部６は、基部１の角部に配置されている。
【００４１】
連結接続部の突出部は、構成部材同士を連結する際の互いのより正確な位置決めのために、面取りや角丸めが施されていてもよく、傾斜面を備えていてもよい。また、基部１に、材料を節約するために様々な開口部が設けられていてもよい。例えば、実施形態１にかかる第２グループの突出部３の内側に開口部が形成されていてもよい（図９参照）。
【００４２】
基部１の連結接続部の突出部は、図５および図７に具体的に示されている。構成部材同士が互いに接続される場合、異なる構成部材の突出部が互いに連結される。連結は、突出部同士の密着および／または他の突出部同士の間に配置された時に生じる摩擦力に基づいて行われる。
【００４３】
構成部材同士を接続する場合、異なるグループの突出部を任意の側面で同時に連結させることができ、複雑な立体モデル（３次元モデル）を形成することが可能になる（図１９〜図２３参照）。
【図面の簡単な説明】
【００４４】
【図１】第１グループの突出部を示している。
【図２】実施形態１にかかる組立部材の第２グループの突出部を示している。
【図３】実施形態１にかかる構成部材の第３グループの突出部、および実施形態２にかかる構成部材の第２グループの突出部を示す図である。
【図４】実施形態１にかかる構成部材の第４グループの突出部、および実施形態２にかかる構成部材の第３グループの突出部を示す図である。
【図５】実施形態１に従って実装された、９個の第１グループの突出部と、４個の第２グループの突出部と、８個の第３グループの突出部と、４個の第４グループの突出部と、５ａ×５ａのサイズを有する基部とを有する構成部材を示す図である。
【図６】実施形態１に従って実装された、９個の第１グループの突出部と、４個の第２グループの突出部と、８個の第３グループの突出部と、４個の第４グループの突出部と、５ａ×５ａのサイズを有する基部とを有する構成部材を示す等角投影図である。
【図７】実施形態２に従って実装された、３個の第１グループの突出部と、４個の第２グループの突出部と、４個の第３グループの突出部と、５ａ×ａのサイズを有する基部とを有する構成部材を示す図である。
【図８】実施形態２に従って実装された、３個の第１グループの突出部と、４個の第２グループの突出部と、４個の第３グループの突出部と、５ａ×ａのサイズを有する基部とを有する構成部材を示す等角投影図である。
【図９】実施形態１に従って実装された基部の例を示す図である。
【図１０】実施形態１に従って実装された構成部材における第１グループの突出部と第４グループの突出部との接続状態を示す図である。
【図１１】実施形態１に従って実装された構成部材における第３グループの突出部同士の接続状態、および実施形態２に従って実装された構成部材における第２グループの突出部同士の接続状態を示す図である。
【図１２】実施形態１に従って実装された構成部材における第２グループの突出部と第３グループの突出部との接続状態を示す図である。
【図１３】実施形態１に従って実装された構成部材における第２グループの突出部、第３グループの突出部、および第４グループの突出部の接続状態を示す図である。
【図１４】実施形態１に従って実装された構成部材における第２グループの突出部と第４グループの突出部との接続状態を示す図である。
【図１５】実施形態１に従って実装された構成部材における３個の第３グループの突出部の接続状態、および実施形態２に従って実装された構成部材における３個の第２グループの突出部の接続状態を示す図である。
【図１６】実施形態１に従って実装された構成部材における２個の第１グループの突出部と２個の第３グループの突出部との接続状態を示している。
【図１７】実施形態１に従って実装された構成部材における１個の第２グループの突出部と２個の第３グループの突出部との接続状態を示している。
【図１８】実施形態１に従って実装された構成部材における２個の第２グループの突出部と１個の第３グループの突出部との接続状態を示す図である。
【図１９】実施形態２に従って実装された、図１６に示した２重の接続を用いた２個の構成部材の接続状態を示す図である。
【図２０】実施形態２に従って実装された、図１５に示した接続を用いた２個の構成部材の接続状態を示す図である。
【図２１】実施形態２に従って実装された、図１２に示した接続を用いた２個の構成部材の接続状態を示す図である。
【図２２】実施形態１に従って実装された１個の構成部材に、図１０に示した接続を用いて実施形態２に従って実装された他の構成部材を接続した状態を示す図である。
【図２３】実施形態１に従って実装された１個の構成部材に、図１３および図１７に示した接続を用いて実施形態２に従って実装された他の構成部材を接続した状態を示す図である。
【図２４】図１９に示した接続状態を示す図であり、異なる構成部材セットがより見やすくなるように図１９を修正しただけのものである。
【図２５】図２０に示した接続状態を示す図であり、異なる構成部材セットがより見やすくなるように図２０を修正しただけのものである。
【図２６】図２１に示した接続状態を示す図であり、異なる構成部材セットがより見やすくなるように図２１を修正しただけのものである。
【図２７】図２２に示した接続状態を示す図であり、異なる構成部材セットがより見やすくなるように図２２を修正しただけのものである。
【図２８】図２３に示した接続状態を示す図であり、異なる構成部材セットがより見やすくなるように図２３を修正しただけのものである。
【図１】
0005976964.tif 000002
【図２】
0005976964.tif 000003
【図３】
0005976964.tif 000004
【図４】
0005976964.tif 000005
【図５】
0005976964.tif 000006
【図６】
0005976964.tif 000007
【図７】
0005976964.tif 000008
【図８】
0005976964.tif 000009
【図９】
0005976964.tif 000010
【図１０】
0005976964.tif 000011
【図１１】
0005976964.tif 000012
【図１２】
0005976964.tif 000013
【図１３】
0005976964.tif 000014
【図１４】
0005976964.tif 000015
【図１５】
0005976964.tif 000016
【図１６】
0005976964.tif 000017
【図１７】
0005976964.tif 000018
【図１８】
0005976964.tif 000019
【図１９】
0005976964.tif 000020
【図２０】
0005976964.tif 000021
【図２１】
0005976964.tif 000022
【図２２】
0005976964.tif 000023
【図２３】
0005976964.tif 000024
【図２４】
0005976964.tif 000025
【図２５】
0005976964.tif 000026
【図２６】
0005976964.tif 000027
【図２７】
0005976964.tif 000028
【図２８】
0005976964.tif 000029